(57)【要約】      （修正有）【課題】インバータノイズが発生する環境下において、簡易な構成で受信信号に含まれるノイズを低減することができる列車制御装置を提供する。【解決手段】振幅変調信号を送信する地上装置と、受信した振幅変調信号の変調波の周波数情報から列車制御情報を抽出して列車を制御する車上装置とを備えた列車制御装置において、車上装置は、受信した振幅変調信号を周波数解析して周波数領域の信号を得る周波数解析手段１３ｃと、周波数領域の信号から振幅変調信号の一次周波数成分及び搬送波周波数成分以外の周波数成分強度を減じる強度調整手段１３ｄと、強度調整手段１３ｄからの周波数領域の信号を時間領域の信号に変換する信号変換手段１３ｅと、信号変換手段１３ｅからの時間領域の信号に基づいて変調波の周波数情報を検出する周波数情報検出手段と、を備えて構成する。【選択図】図３
2014198526.tif 000002
【特許請求の範囲】
【請求項１】
振幅変調信号を送信する地上装置と、受信した前記振幅変調信号の変調波の周波数情報から列車制御情報を抽出して列車を制御する車上装置とを備えた列車制御装置において、
前記車上装置は、前記受信した振幅変調信号を周波数解析し、前記振幅変調信号の一次周波数成分及び前記振幅変調信号の搬送波周波数成分に基づいて前記変調波の周波数情報を検出する、列車制御装置。
【請求項２】
前記車上装置は、前記受信した振幅変調信号を周波数解析して得た周波数領域の信号に基づいて前記振幅変調信号の一次周波数成分を特定し、前記周波数領域の信号から前記特定した一次周波数成分及び前記搬送波周波数成分以外の周波数成分強度を減じ、該強度を減じて得た周波数領域の信号に基づき前記変調波の周波数情報を検出する、請求項１に記載の列車制御装置。
【請求項３】
前記車上装置は、
前記受信した振幅変調信号を周波数解析して周波数領域の信号を得る周波数解析手段と、
前記周波数解析手段によって得られた前記周波数領域の信号から前記一次周波数成分及び前記搬送波周波数成分以外の周波数成分強度を減じる強度調整手段と、
前記強度調整手段によって得られた前記周波数領域の信号を時間領域の信号に変換する信号変換手段と、
前記信号変換手段によって得られた前記時間領域の信号に基づいて前記変調波の周波数情報を検出する周波数情報検出手段と、
を備えて構成したことを特徴とする請求項２に記載の列車制御装置。
【請求項４】
前記強度調整手段は、前記一次周波数成分及び前記搬送波周波数成分以外の周波数成分強度を０または微小値に減じることを特徴とする請求項３に記載の列車制御装置。
【請求項５】
前記車上装置は、前記周波数解析して得た周波数スペクトルにおいて、前記搬送波周波数の両側に略同一周波数分隔てて、かつ、互いに略同一の強度で現れる周波数成分を前記一次周波数成分として特定することを特徴とする請求項１〜４のいずれか１つに記載の列車制御装置。
【請求項６】
前記車上装置は、前記周波数解析して得た周波数スペクトルにおいて、前記搬送波周波数の両側に同一周波数分隔てた位置の周波数成分の強度をそれぞれ足し合せ、該足し合わせた各周波数成分のうち強度が一番高い周波数成分を前記一次周波数成分として特定することを特徴とする請求項１〜４のいずれか１つに記載の列車制御装置。
【請求項７】
前記車上装置は、前記受信した振幅変調信号の周波数帯域内の信号を通過させるバンドパスフィルタを備え、該バンドパスフィルタ通過後の信号に対して前記周波数解析を行うことを特徴とする請求項１〜６のいずれか１つに記載の列車制御装置。
【発明の詳細な説明】
【技術分野】
【０００１】
本発明は、列車制御装置に関し、特に、インバータ制御の電動機を搭載する列車に好適な列車制御装置に関する。
【背景技術】
【０００２】
従来、この種の列車制御装置は、地上側に設けられる地上装置と、列車側に搭載される車上装置とから構成され、地上装置から列車に向けて所定の列車制御信号を送信し、送信された列車制御信号を車上装置で受信して速度制御等の所定の列車制御を行うように構成されている。
【０００３】
この種の列車制御装置としては、特許文献１に記載されているものが知られている。この特許文献１に記載された列車制御装置は、地上側から車上側へ送信する列車制御信号の搬送波を列車制御情報に対応させた所定の周波数の変調波で振幅変調処理して得た列車制御信号を車上側に送信することにより、その変調波の周波数に対応する列車制御情報を車上側に伝達するよう構成したものである。
【先行技術文献】
【特許文献】
【０００４】
【特許文献１】特開平１０−７６９４８号公報
【発明の概要】
【発明が解決しようとする課題】
【０００５】
ところで、近年、列車の誘導電動機の制御にインバータ制御機器（ＶＶＶＦ制御機器）を使用するものが増えている。このインバータ制御機器等から発生するインバータノイズは、列車速度に応じてノイズの周波数帯域が変化するため、インバータノイズの周波数帯域と列車制御信号の周波数帯域が重なる可能性がある。そのため、特許文献１に記載の従来の列車制御装置においては、列車制御信号の出力レベルがインバータノイズのレベルより高くなるように、列車制御信号の出力を高くして列車制御信号とインバータノイズのＳ／Ｎを十分確保できるようにしている。また、列車制御信号の出力を高くしても、十分なＳ／Ｎを確保できない場合は、列車制御信号の受電器の位置をインバータ制御機器等のノイズ発生源から遠ざけたり、受電器の周囲にノイズ遮蔽用の金属カバーを設けたりしている。
【０００６】
このように、従来の列車制御装置においては、上記のようにインバータノイズに対する対策が行われているが、列車制御信号の出力を高くする場合、出力能力の高い送信器を用意しなればならず、また、金属カバーの設置や受電器の配置変更が容易にできない場合もある。このため、インバータノイズが発生する環境下において、簡易な構成で受信信号に含まれる雑音を低減するための工夫が求められている。
【０００７】
本発明は上記問題点に着目してなされたもので、列車速度に応じて周波数帯域が変化するインバータノイズが発生する環境下において、簡易な構成で受信信号に含まれるノイズを低減することができる列車制御装置を提供することを目的とする。
【課題を解決するための手段】
【０００８】
このため、本発明は、振幅変調信号を送信する地上装置と、受信した前記振幅変調信号の変調波の周波数情報から列車制御情報を抽出して列車を制御する車上装置とを備えた列車制御装置において、前記車上装置は、前記受信した振幅変調信号を周波数解析し、前記振幅変調信号の一次周波数成分及び前記振幅変調信号の搬送波周波数成分に基づいて前記変調波の周波数情報を検出する構成としたことを特徴とする。
【０００９】
かかる構成では、地上装置によって、振幅変調信号を送信し、車上装置によって、受信した振幅変調信号を周波数解析し、前記振幅変調信号の一次周波数成分及び搬送波周波数成分に基づいて変調波の周波数情報を検出して、検出した変調波の周波数情報から列車制御情報を抽出して列車の走行を制御する。
【発明の効果】
【００１０】
本発明の列車制御装置によれば、受信した振幅変調信号を周波数解析し、振幅変調信号の一次周波数成分及び搬送波周波数成分に基づいて変調波の周波数情報を検出する構成としたので、例えば、振幅変調信号を周波数解析して得た周波数領域の信号に基づいて振幅変調信号の一次周波数成分を特定し、上記周波数領域の信号から特定した一次周波数成分及び搬送波周波数成分以外の周波数成分の強度を減じ、この強度を減じた周波数領域の信号に基づき変調波の周波数情報を検出することができるので、振幅変調信号の周波数解析処理によってインバータノイズ等の不要な信号成分を除去できる。したがって、振幅変調信号にインバータノイズが混入する状況でも、地上装置の信号送信出力を高める必要がなく、ノイズ除去用の金属カバーの設置や信号の受電器等の配置変更が不要となり、簡易な構成で受信信号に含まれるノイズを低減することができる。
【００１１】
また、地上装置の信号送信出力を従来の様に高めれば、従来よりも遠くの地点まで列車制御情報を伝達することができるため、振幅変調信号の伝送経路である軌道回路の回路長を従来よりも長くできる。これにより、一つの路線に必要な軌道回路数を減らすことができるため軌道回路に対応して設置される地上装置等の設備を少なくすることができる。
【図面の簡単な説明】
【００１２】
【図１】本発明に係る列車制御装置の一実施形態を示す概略構成図である。
【図２】搬送波を変調波で振幅変調した信号の波形例のイメージを示す図である。
【図３】本実施形態の信号処理回路の構成を示すブロック図である。
【図４】周波数解析結果の一例を示すイメージ図である。
【図５】振幅変調信号の一次周波数成分の特定方法を説明する図である。
【図６】特定した周波数成分以外の強度を減じた後の周波数スペクトルのイメージを示す図である。
【図７】本実施形態の列車制御装置の信号処理を説明するフローチャートである。
【図８】振幅変調信号の一次周波数成分の別の特定方法を説明する概念図である。
【発明を実施するための形態】
【００１３】
以下、本発明の実施形態を図面に基づいて説明する。
図１は、本発明の列車制御装置の一実施形態の概略構成図を示す。
図１において、本実施形態の列車制御装置は、地上側に設けられている地上装置ａと、列車イに搭載した車上装置ｂと、を備えて構成されている。そして、地上装置ａから、先行列車との間隔及び進路の条件に応じた列車制御情報（例えば列車の許容速度情報等）に対応させたＡＴＣ信号を、図中右方向に進行している列車イが在線する軌道回路Ｔのレールの図中右端側から送信し、このＡＴＣ信号を車上装置ｂが受信すると、ＡＴＣ信号から前記列車制御情報を抽出し、抽出した列車制御情報に基づいて列車イの走行を制御するよう構成されている。軌道回路Ｔは、レールにより形成されていて、前後の軌道回路Ｔ′，Ｔ″を形成するレールとは、交流信号に対してそれぞれ電気的絶縁が図られている。なお、軌道回路Ｔのレールに送信する列車検知用の信号電流周波数と前後の軌道回路Ｔ′，Ｔ″のレールに送信する列車検知用の信号電流周波数を異ならせることで、軌道回路Ｔと前後の軌道回路Ｔ′，Ｔ″との電気的絶縁を不要とした無絶縁軌道回路であってもよい。
【００１４】
前記地上装置ａは、振幅変調信号を送信するものであり、所定の周波数ｆ０を有する搬送波を発生させる搬送波発生回路１を有している。搬送波発生回路１から発生された搬送波は、変調回路２に入力される。前記変調回路２は、搬送波を列車制御情報選択回路３から入力された列車制御情報に対応させた所定の周波数（ｆ１又はｆ２）の変調波で振幅変調処理し、この振幅変調信号をＡＴＣ信号として出力するように構成されている。変調波周波数ｆ１に対応した第１情報Ｆ１と変調波周波数ｆ２に対応した第２情報Ｆ２は、例えば、列車イに対する許容速度情報である。例えば、第１情報Ｆ１を、列車イに対して許容速度４５ｋｍ／ｈを示す情報とし、第２情報Ｆ２を列車イに対して許容速度１５ｋｍ／ｈを示す情報とするようにする。また、変調波周波数は、例えば、高い周波数側を低速度側の速度情報に割当てている。つまり、低速側の速度情報に対応するｆ２の方がｆ１より高い周波数になるように設定されている。ここでは、説明を簡単にするために、地上から車上に送信される列車制御情報を２個としているが、この情報数は２個に限らず、例えば、０ｋｍ／ｈ、１５ｋｍ／ｈ、２５ｋｍ／ｈ、４５ｋｍ／ｈ、５５ｋｍ／ｈ、・・・・、１２０ｋｍ／ｈ等の許容速度等に対応して３個以上であってもよい。
【００１５】
図２は、地上装置ａから送信される列車制御情報を付加したＡＴＣ信号の波形例である。図２の波形は、第１情報Ｆ１を付加したＡＴＣ信号の例である。即ち、周波数ｆ０の搬送波を周波数ｆ１の変調波で振幅変調したＡＴＣ信号であり、その周期は周波数ｆ１の変調波の周期と一致する。尚、図２において、破線でそれぞれ囲ったＡは、ＡＴＣ信号（振幅変調信号）の断続する信号部分を示し、この信号部分における波形の周期は、搬送波の周波数ｆ０に基づいて定まる周期である。
【００１６】
変調回路２で振幅変調処理して得たＡＴＣ信号は、パワーアンプ４で増幅処理され、接続トランス５を介して軌道回路Ｔを形成するレールに供給される。尚、このような地上装置ａは、隣接する軌道回路Ｔ′，Ｔ″にもそれぞれ設けられているが、ここでは省略する。
【００１７】
次に、車上装置ｂについて説明する。
車上装置ｂは、地上装置ａから送信されたＡＴＣ信号（振幅変調信号）を受信し、この受信したＡＴＣ信号の変調波の周波数情報（ｆ１又はｆ２）から列車制御情報を抽出して列車を制御するものであり、受電器１０と、増幅回路１１と、周波数情報検出手段１２と、信号処理回路１３と、を備えて構成されている。車上装置ｂは、地上装置ａからレールに送信されたＡＴＣ信号を、列車イの前部でレールに対向して設けられている受電器１０を介して受信し、受信したＡＴＣ信号を増幅回路１１で増幅処理できるように構成されている。この増幅回路１１で増幅処理されたＡＴＣ信号は、後述する信号処理回路１３のバンドパスフィルタ１３ａに入力される。
【００１８】
前記周波数情報検出手段１２は、信号処理回路１３から出力される信号処理後の時間領域の信号に基づいて変調波の周波数情報を検出するように構成されている。周波数情報検出手段１２は、例えば、信号処理回路１３からの信号中に第１情報Ｆ１に相当する信号が含まれていたときに、第１情報受信リレー１４を動作させ、信号処理回路１３からの信号中に第２情報Ｆ２に相当する信号が含まれていたときに、第２情報受信リレー１５を動作させることができるように構成されている。
【００１９】
周波数情報検出手段１２は、具体的には、図示省略するが、例えば、従来と同じ信号復調処理回路を備えて構成されており、信号処理回路１３からの出力信号の包絡線を検波して検波信号を出力する包絡線検波部と、包絡線検波部から出力される検波信号の振幅が閾値以上の場合はその振幅を閾値に合わせるリミッタ処理部と、検波信号から周波数ｆ１の変調波成分を抽出するフィルタ及び周波数ｆ２の変調波成分を抽出するフィルタから成るフィルタ群と、各フィルタ通過後のレベルが閾値以上である場合にそのフィルタに対応する周波数をＡＴＣ信号に含まれる変調波の周波数情報として検出する検出部とを備えて構成されている。この検出部は、例えば、周波数ｆ１を検出したときに、第１情報Ｆ１に相当する信号を受信したと判別し、第１情報受信リレー１４を動作させ、周波数ｆ２を検出したときに、第２情報Ｆ２に相当する信号を受信したと判別し、第２情報受信リレー１５を動作させる。
【００２０】
次に、本発明の特徴部分である信号処理回路１３について説明する。
図３は、本実施形態の信号処理回路１３の構成を示すブロック図である。
図３において、本実施形態の信号処理回路１３は、バンドパスフィルタ１３ａと、Ａ／Ｄ変換器１３ｂと、周波数解析手段１３ｃと、強度調整手段１３ｄと、信号変換手段１３ｅと、を備えて構成されている。
【００２１】
前記バンドパスフィルタ１３ａは、増幅回路１１で増幅処理されたＡＴＣ信号を入力し、この入力信号のうちＡＴＣ信号の周波数帯域内の信号を通過させるものであり、例えば、列車制御情報に対応して用いられる周波数のうち一番高い周波数の変調波を検出可能に、搬送波周波数ｆ０±最大変調波周波数ｆmax（本実施形態においては、ｆmax=ｆ２）の範囲の周波数成分の信号を通過させるように設定されている。尚、一般的には、最大変調波周波数ｆmaxは、８０Ｈｚ程度であるため、バンドパスフィルタ１３ａの通過帯域は、ｆ０±８０Ｈｚ程度にするとよい。
【００２２】
前記Ａ／Ｄ変換器１３ｂは、バンドパスフィルタ１３ａ通過後のＡＴＣ信号（振幅変調信号）を所定間隔でサンプリングしてデジタル信号に変換し、この信号を周波数解析手段１３ｃへ出力する。
【００２３】
前記周波数解析手段１３ｃは、バンドパスフィルタ１３ａ通過後のデジタルＡＴＣ信号を周波数解析して周波数領域の信号を得るものであり、例えば、ＦＦＴ変換処理回路を備え、周波数領域の信号として周波数スペクトルを得るように構成されている。本実施形態においては、周波数解析を上記バンドパスフィルタ処理後の信号について行うので、より精度の高い周波数スペクトルを利用して、後述するＡＴＣ信号の一次周波数成分及び搬送波周波数を抽出することができる。
【００２４】
図４は、フィルタ通過後のデジタルＡＴＣ信号を周波数解析して得た周波数スペクトルの一例を示すイメージ図であり、バンドパスフィルタ１３ａの信号通過帯域にのみスペクトルが現れていることが分かる。ここで、図４に示すように、ＡＴＣ信号（搬送波＋変調波）の周波数解析を行うと、搬送波周波数ｆｃ（＝ｆ０）を中心としてその両側（ｆｃ±変調波周波数）にＡＴＣ信号の一次周波数成分のスペクトルが略同一強度で必ず現れる。この搬送波周波数ｆｃは、既知であり、例えば周波数解析手段１３ｃに予め記憶されている。また、ｆｍｌ１（ｆｃ−変調波周波数）及びｆｍｕ１（ｆｃ＋変調波周波数）は、それぞれＡＴＣ信号の一次周波数成分の周波数を示しており、ｆｌ１〜ｆｌ４、ｆｕ１〜ｆｕ４は、ノイズ成分の周波数を示している。なお、図４においては、ＡＴＣ信号の周波数成分のスペクトルとしては、ＡＴＣ信号の一次周波数成分と搬送波周波数成分のみが現れる場合を示したが、バンドパスフィルタの通過帯域内の周波数成分であれば、ＡＴＣ信号の三次周波数成分、五次周波数成分等の高次の周波数成分のスペクトルも現れる。
【００２５】
前記強度調整手段１３ｄは、振幅変調信号であるＡＴＣ信号の周波数スペクトルが図４に示すような特性のスペクトルになるということを利用して、つまり、ＡＴＣ信号を周波数解析して得た周波数領域の信号に基づき、ＡＴＣ信号の一次周波数成分を特定し、周波数解析手段１３ｃによって得られた周波数領域の信号から、前記特定した一次周波数成分及び搬送波周波数成分以外の周波数成分強度を減じるように構成されている。
【００２６】
強度調整手段１３ｄは、具体的には、例えば、図５に示すように、周波数解析して得た周波数スペクトルにおいて、搬送波周波数ｆｃの両側に略同一周波数（Δｆｍ）分隔てて、かつ、互いに略同一の強度Ｐｍで現れる周波数成分を一次周波数成分として特定し、この特定した一次周波数成分及び搬送波周波数成分以外の周波数成分強度、つまり、図５においては、ｆｌ１〜ｆｌ４、ｆｕ１〜ｆｕ４における周波数成分強度を減じるように構成されている。例えば、図６に示すように、一次周波数成分及び搬送波周波数成分以外の周波数成分強度を、極小値にする。なお、極小値に限らず、一次周波数成分及び搬送波周波数成分以外の周波数成分強度を０にしてもよい。また、前述したＡＴＣ信号の高次の周波数成分が現れる場合には、これらの高次周波数成分についても強度を減じるように構成されている。
【００２７】
信号変換手段１３ｅは、強度調整手段１３ｄによって強度を減じて得られた周波数領域の信号を時間領域の信号に変換するものであり、例えば、逆ＦＦＴ変換処理回路から構成されている。時間領域に変換された信号は、前述した周波数情報検出手段１２に入力される。
【００２８】
次に、本実施形態の列車制御装置における信号処理及び周波数情報検出の動作を図７に基づいて説明する。なお、車上装置ａからは、第１情報Ｆ１に対応する周波数ｆ１の変調波で振幅変調されたＡＴＣ信号が送信されている場合を例として説明する。
【００２９】
まず、ＳＴＥＰ１では、ＡＴＣ信号が受電器１０で受信され、増幅回路１１を介して図２に示すような振幅変調信号がバンドパスフィルタ１３ａに入力され、ＡＴＣ信号の周波数帯域内の信号のみ通過させ、バンドパスフィルタ１３ａ通過後のＡＴＣ信号を所定間隔でサンプリングしてデジタル信号に変換し、周波数解析手段１３ｃへ出力する。
【００３０】
次に、ＳＴＥＰ２では、バンドパスフィルタ１３ａ通過後のデジタルＡＴＣ信号は、周波数解析手段１３ｃでＦＦＴ処理される。周波数解析手段１３ｃは、周波数解析して得た図４に示す様な周波数スペクトルを周波数領域の信号として、強度調整手段１３ｄに出力する。
【００３１】
そして、ＳＴＥＰ３では、強度調整手段１３ｄは、入力された周波数領域の信号から搬送波周波数ｆｃの両側にｆ１分隔てて、互いに略同一の強度Ｐｍで現れる周波数成分を検出し、このｆｃからｆ１分隔てたｆｍｌ１及びｆｍｕ１における周波数成分を一次周波数成分として特定し、この周波数領域の信号から上記特定した一次周波数成分及び搬送波周波数成分（図５に黒塗りで示す成分）以外の周波数成分強度を、図６に示すように減じる。この強度調整後（ノイズ除去後）の周波数領域の信号は、信号変換手段１３ｅに出力される。
【００３２】
ＳＴＥＰ４では、強度調整手段１３ｄからのノイズ除去後の周波数領域の信号は、信号変換手段１３ｅに入力され、逆ＦＦＴ処理により時間領域の信号に変換され、周波数情報検出手段１２に出力される。
【００３３】
最後に、ＳＴＥＰ５では、周波数情報検出手段１２は、信号処理回路１３（信号変換手段１３ｅ）からの信号中に周波数ｆ１の変調波が含まれていることを検出する。その後、例えば、変調波の周波数ｆ１に対応する第１情報Ｆ１に相当する信号が含まれていると判定して、第１情報受信リレー１４を動作させる。
【００３４】
かかる本実施形態の列車制御装置によれば、受信した振幅変調信号を周波数解析して得た周波数領域の信号に基づいて振幅変調信号の一次周波数成分を特定し、上記周波数領域の信号から特定した一次周波数成分及び搬送波周波数成分以外の周波数成分の強度を減じ、この強度を減じた周波数領域の信号に基づき変調波の周波数情報を検出するように構成したので、振幅変調信号の周波数解析処理によってインバータノイズ等の不要な信号成分を除去できる。したがって、振幅変調信号にインバータノイズが混入する状況でも、地上装置ａの信号送信出力を高める必要がなく、ノイズ除去用の金属カバーの設置や信号の受電器１０等の配置変更が不要となり、インバータノイズが発生する環境下において、簡易な構成で受信信号に含まれる雑音を低減することができる。
【００３５】
また、地上装置ａの信号送信出力を従来の様に高めれば、従来よりも遠くの地点まで列車制御情報を伝達することができるため、軌道回路Ｔの回路長を従来よりも長くできる。これにより、一つの路線に必要な軌道回路数を減らすことができるため軌道回路Ｔに対応して設置される地上装置ａ等の設備を少なくすることができるという利点がある。
【００３６】
なお、強度調整手段１３ｄにおけるＡＴＣ信号の一次周波数成分の特定方法としては、図５で説明したように、周波数スペクトルから直接特定する構成に限らず、図８に示すように、周波数解析して得た周波数スペクトルにおいて、搬送波周波数ｆｃの両側に同一周波数分隔てた位置の周波数成分の強度をそれぞれ足し合せ、これらの足し合わせた各周波数成分のうち強度が一番高い周波数成分を一次周波数成分として特定するようにしてもよい。なお、図５及び図８においては、図の簡略化のため、ｆｌ１〜ｆ４、ｆｕ１〜ｆｕ４で示したノイズ成分は、搬送波周波数ｆｃを中心として両側に均等間隔で現れるものとして示したが、通常は、ノイズは不均等に現れる。したがって、上記のようにして各周波数成分の強度を搬送波周波数ｆｃを中心にして折り返す形でそれぞれ足し合わせた場合に、図８のようにノイズ部分が重なって足し合わされる可能性は低い。
【００３７】
かかる本実施形態の列車制御装置によれば、図８に示すように、各周波数成分強度を、搬送波周波数ｆｃを中心にして折り返す形で足し合せ、足し合わせた各周波数成分のうち強度が一番高い周波数成分を一次周波数成分として特定する構成であるため、図５に示した方法と比較して、ＡＴＣ信号の一次周波数成分の強度が強調されるため、ノイズ成分との強度差が広がり、一次周波数成分をより検出し易くなる。
【００３８】
なお、上述した実施形態においては、バンドパスフィルタ１３ａでＡＴＣ信号の周波数帯域外のノイズを除去した後の信号を周波数解析して、周波数解析して得た周波数領域の信号から、ＡＴＣ信号の一次周波数成分と搬送波周波数成分以外の周波数成分を除去する構成で説明したが、ＡＴＣ信号の周波数帯域外のノイズ除去前の信号であっても、周波数解析結果に基づいてＡＴＣ信号の一次周波数成分及び搬送波の周波数成分以外を特定することが可能であるため、バンドパスフィルタ１３ａは設けなくてもよい。この場合、増幅回路１１からの信号は直接周波数解析手段１３ｄに入力されるようにする。
【００３９】
また、本実施形態においては、列車制御装置としてＡＴＣ装置の例を示したが、地上側と車上側との間で列車制御に関連する情報を通信する、例えばＡＴＳ装置等の列車制御装置にも適用することができることは言うまでもない。
【００４０】
そして、本実施形態では、車上装置は、受信した振幅変調信号を周波数解析して、振幅変調信号の一次周波数成分のみを特定するものとしたが、一次周波数成分だけでなく、振幅変調信号の搬送波周波数成分も特定するように構成してもよい。この場合、例えば、周波数領域の信号のうち一番強度の強い周波数成分を搬送波周波数成分として特定するように構成する。
【００４１】
また、本実施形態では、車上装置は、前記受信した振幅変調信号を周波数解析して得た周波数領域の信号に基づいて前記振幅変調信号の一次周波数成分を特定し、前記周波数領域の信号から前記特定した一次周波数成分及び搬送波周波数成分以外の周波数成分強度を減じ、該強度を減じて得た周波数領域の信号に基づき前記変調波の周波数情報を検出する構成としたが、この構成に限るものではなく、本発明に係る列車制御装置は、振幅変調信号を送信する地上装置と、受信した前記振幅変調信号の変調波の周波数情報から列車制御情報を抽出して列車を制御する車上装置とを備えた列車制御装置において、前記車上装置は、前記受信した振幅変調信号を周波数解析し、前記振幅変調信号の一次周波数成分及び前記振幅変調信号の搬送波の周波数成分に基づいて前記変調波の周波数情報を検出するように構成されていればよい。
例えば、受信した振幅変調信号の周波数解析結果に基づき、振幅変調信号の一次周波数成分及び振幅変調信号の搬送波周波数成分を直接特定し、これら特定した各周波数成分の周波数から変調波の周波数を求めるようにしてもよいし、受信した振幅変調信号の周波数解析結果に基づき、振幅変調信号の一次周波数成分を直接特定し、この特定した一次周波数成分の周波数と、車上装置に予め記憶させた振幅変調信号の搬送波周波数成分の周波数から変調波の周波数を求めるようにしてもよい。
【００４２】
以上、本発明の好ましい実施形態について説明したが、本発明は上記実施形態に制限されるものではなく、本発明の技術的思想に基づいて種々の変形及び変更が可能である。
【符号の説明】
【００４３】
１２    周波数情報検出手段
１３ａ  バンドパスフィルタ
１３ｃ  周波数解析手段
１３ｄ  強度調整手段
１３ｅ  信号変換手段
イ    列車
ａ    地上装置
ｂ    車上装置
【図１】
2014198526.tif 000003
【図２】
2014198526.tif 000004
【図３】
2014198526.tif 000005
【図４】
2014198526.tif 000006
【図５】
2014198526.tif 000007
【図６】
2014198526.tif 000008
【図７】
2014198526.tif 000009
【図８】
2014198526.tif 000010